(57)【要約】【課題】施工作業を容易にすることができる改装用建具を提供する。【解決手段】改装用建具１０は、建物１２の開口部１４ａに設置された既設枠１６の内側に取り付けられる新設枠１８と、建物１２の外壁面１４ｂと新設枠１８との間に亘るように設けられ、既設枠１６を室外側から覆う額縁部材である外額縁３０，４０とを備える。外額縁３０，４０は、第１板部４６と、第２板部４７とを有し、第１板部４６及び第２板部４７のいずれか一方が新設枠１８の外側見込み面３２，４２に対して取付され、第１板部４６及び第２板部４７のいずれか他方が外壁面１４ｂに対して当接される。【選択図】図３
2018204291.tif 000002
【特許請求の範囲】
【請求項１】
建物の開口部に設置された既設枠の内側に取り付けられる新設枠と、前記建物の外壁面と前記新設枠との間に亘るように設けられ、前記既設枠を室外側から覆う額縁部材と、を備える改装用建具であって、
前記額縁部材は、第１板部と、第２板部と、を有し、
前記第１板部及び前記第２板部のいずれか一方が前記新設枠の見込み面に対して取付され、前記第１板部及び前記第２板部のいずれか他方が前記外壁面に対して当接されることを特徴とする改装用建具。
【請求項２】
請求項１に記載の改装用建具において、
前記額縁部材は、前記第１板部と前記第２板部とが平行するように対向配置されると共に、前記第１板部と前記第２板部との間を繋ぐ第３板部を有し、
前記第１板部の見込み寸法と前記第２板部の見込み寸法とが異なることを特徴とする改装用建具。
【請求項３】
請求項１又は２に記載の改装用建具において、
前記第１板部及び前記第２板部のいずれか一方は、締結具又は磁石を用いて前記新設枠の見込み面に取付られることを特徴とする改装用建具。
【請求項４】
請求項３に記載の改装用建具において、
前記磁石が前記新設枠の見込み面の内面に設けられている場合は、前記額縁部材は、前記磁石に吸引可能な材質で形成されるか、又は前記磁石と吸引可能な別の磁石が設けられ、
前記磁石が前記額縁部材に設けられている場合は、前記新設枠は、前記磁石に吸引可能な材質で形成されるか、又は前記見込み面の内面に前記磁石と吸引可能な別の磁石が設けられることを特徴とする改装用建具。
【請求項５】
請求項３に記載の改装用建具において、
前記既設枠は、前記開口部側を臨む内側見込み面と前記外壁面側を臨む外側見込み面とに挟まれた中空部を有し、
前記締結具は、前記中空部内から前記新設枠の外側見込み面を通して前記第１板部及び前記第２板部のいずれか一方に締結されることを特徴とする改装用建具。
【発明の詳細な説明】
【技術分野】
【０００１】
本発明は、建物の開口部に設置されたドア枠や窓枠等の既設枠の内側に新設枠を取り付ける改装用建具に関する。
【背景技術】
【０００２】
従来、玄関ドア等のドア或いは窓を低コストで改装するために、建物の躯体に固定されている既設枠の内側に新設枠を取り付け、この新設枠に新設ドアや新設障子を取り付ける工法が行われている。
【０００３】
例えば特許文献１には、既設枠の内側に新設枠を取り付けた構成の改装用建具が開示されている。この構成では、新設枠の室外側見付け面と建物の外壁面との間に亘って額縁部材を設け、この額縁部材で既設枠を室外側から覆い隠している。
【先行技術文献】
【特許文献】
【０００４】
【特許文献１】特開２０１６−３３２８２号公報
【発明の概要】
【発明が解決しようとする課題】
【０００５】
ところで、上記のような改装用建具を施工する場合、額縁部材の取付面となる新設枠の室外側見付け面と建物の外壁面との位置関係が施工現場毎に異なる。そこで、上記特許文献１の構成では、額縁部材の建物の外壁面に当接する部分に溝部を複数設け、この溝部に沿って額縁部材の一部を折り取ることで寸法調整を行っている。ところが、このような額縁部材の寸法調整は施工現場で実物合わせ等をしながら行う必要があり、手間がかかる。
【０００６】
本発明は、上記従来技術の課題を考慮してなされたものであり、施工作業を容易にすることができる改装用建具を提供することを目的とする。
【課題を解決するための手段】
【０００７】
本発明に係る改装用建具は、建物の開口部に設置された既設枠の内側に取り付けられる新設枠と、前記建物の外壁面と前記新設枠との間に亘るように設けられ、前記既設枠を室外側から覆う額縁部材と、を備える改装用建具であって、前記額縁部材は、第１板部と、第２板部と、を有し、前記第１板部及び前記第２板部のいずれか一方が前記新設枠の見込み面に対して取付され、前記第１板部及び前記第２板部のいずれか他方が前記外壁面に対して当接されることを特徴とする。
【０００８】
このような構成によれば、額縁部材は、第１板部又は第２板部を新設枠の見込み面に対して取付するため、新設枠に対する取付位置を見込み方向にスライドして容易に調整できる。このため、額縁部材は第２板部又は第１板部と外壁面との間の位置調整も施工現場でのカット作業等を行うことなく実施でき、施工作業が容易となる。
【０００９】
本発明に係る改装用建具において、前記額縁部材は、前記第１板部と前記第２板部とが平行するように対向配置されると共に、前記第１板部と前記第２板部との間を繋ぐ第３板部を有し、前記第１板部の見込み寸法と前記第２板部の見込み寸法とが異なる構成であってもよい。そうすると、額縁部材の見込み方向へのスライドだけでは位置調整が不可能な建物に対しても、見込み寸法の異なる第１板部と第２板部とを反転して利用することで対応できる。このため、当該改装用建具は、外壁面と新設枠の位置関係がより幅広い仕様の建物に対しても対応でき、汎用性が高い。
【００１０】
本発明に係る改装用建具において、前記第１板部及び前記第２板部のいずれか一方は、締結具又は磁石を用いて前記新設枠の見込み面に取付られる構成であってもよい。そうすると、額縁部材を新設枠の見込み面に対して確実に且つ円滑に取り付けできる。特に、額縁部材を磁石を用いて新設枠の見込み面に取付する構成では、額縁部材の取付位置の見込み方向への調整が一層容易となる。
【００１１】
本発明に係る改装用建具において、前記磁石が前記新設枠の見込み面の内面に設けられている場合は、前記額縁部材は、前記磁石に吸引可能な材質で形成されるか、又は前記磁石と吸引可能な別の磁石が設けられ、前記磁石が前記額縁部材に設けられている場合は、前記新設枠は、前記磁石に吸引可能な材質で形成されるか、又は前記見込み面の内面に前記磁石と吸引可能な別の磁石が設けられる構成であってもよい。これにより、例えば額縁部材又は新設枠を鋼製とした場合は磁石に対してそのまま吸引させることができる。また、額縁部材又は新設枠に別の磁石を設けると、アルミニウムのように磁石に吸引されない材質の額縁部材又は新設枠であっても容易に取り付けることができる。
【００１２】
本発明に係る改装用建具において、前記既設枠は、前記開口部側を臨む内側見込み面と前記外壁面側を臨む外側見込み面とに挟まれた中空部を有し、前記締結具は、前記中空部内から前記新設枠の外側見込み面を通して前記第１板部及び前記第２板部のいずれか一方に締結される構成であってもよい。そうすると、締結具が中空部内に隠されるため、締結具を室内側から覆い隠すための化粧材等を、例えば新設枠の室外側見付け面に設ける必要がない。
【発明の効果】
【００１３】
本発明によれば、改装用建具の施工作業が容易となる。
【図面の簡単な説明】
【００１４】
【図１】本発明の一実施形態に係る改装用建具の縦断面図である。
【図２】図１に示す改装用建具の横断面図である。
【図３】一方の縦枠に対する外額縁の取付構造を示す要部拡大横断面図である。
【図４】図３に示す構成よりも外壁面の位置が室外側にオフセットした構成での外額縁の取付構造を示す要部拡大横断面図である。
【図５】外額縁を左右反転して取り付けた構成例を示す要部拡大横断面図である。
【図６】外額縁の変形例に係る取付構造を示す要部拡大横断面図である。
【発明を実施するための形態】
【００１５】
以下、本発明に係る改装用建具について好適な実施の形態を挙げ、添付の図面を参照しながら詳細に説明する。
【００１６】
図１は、本発明の一実施形態に係る改装用建具１０の縦断面図である。図２は、図１に示す改装用建具１０の横断面図である。
【００１７】
図１及び図２に示すように、改装用建具１０は、建物１２の躯体１４の開口部１４ａに予め設置されていた既設ドアをドア枠（既設枠１６）を残して撤去し、残存させた既設枠１６の内側に新たなドア枠（新設枠１８）を取り付けて新設ドア２０を開閉可能に支持した建具である。改装用建具１０は、例えば住宅の玄関ドアの改装工事で設置される。改装用建具１０は、玄関ドア以外のドアの他、嵌め殺し窓、上げ下げ窓、引違い窓等のスライディング窓、開き窓等の回転窓等の改装用としても利用できる。
【００１８】
既設枠１６は、上枠１６ａと、下枠１６ｂと、左右の縦枠１６ｃ，１６ｄとを四周枠組みして矩形の開口部を形成したものである。上枠１６ａ、下枠１６ｂ及び縦枠１６ｃ，１６ｄは、例えばアルミニウムや鋼等の金属材料の押出形材である。各枠１６ａ〜１６ｄは、新設枠１８の取付前から躯体１４に固定されている。
【００１９】
新設枠１８は、上枠１８ａと、下枠１８ｂと、左右の縦枠１８ｃ，１８ｄとを四周枠組みすることで矩形の開口部を形成したものである。上枠１８ａ、下枠１８ｂ及び縦枠１８ｃ，１８ｄは、例えばアルミニウムや鋼等の金属材料の押出形材で構成されている。新設枠１８は、既設枠１６の内側に設置される。
【００２０】
本出願において、見込み方向とは改装用建具１０の室内外方向、つまり室内側から室外側に向かう方向又はその逆方向（図中に矢印Ｚで示す方向）をいい、見込み面とは見込み方向に沿って延在する面をいう。見付け方向とは見込み方向に直交する方向であり、上下方向に長尺な縦枠１６ｃ，１８ｄ等の場合はその長手方向に直交する左右方向（図中に矢印Ｘで示す方向）をいい、左右方向に長尺な上枠１６ａ，１８ａ等の場合はその長手方向に直交する上下方向（図中に矢印Ｙで示す方向）をいう。見付け面とは見付け方向に沿った面をいう。枠状部材の内側（内周）とは、例えば既設枠１６や新設枠１８の枠内部分（開口部）をいう。枠状部材の外側（外周）とは、例えば既設枠１６や新設枠１８の躯体１４に固定される枠外部分をいう。
【００２１】
図１に示すように、上枠１８ａは、室外側に配置される室外側部位２４ａと室内側に配置される室内側部位２４ｂとを、一対の断熱材２４ｃで連結した構成である。室内側部位２４ｂには、内側見込み面２５から下方に突出した戸当たり部２６が設けられている。上枠１８ａは、室内側部位２４ｂがクランク状の連結金具２８を介して躯体１４に連結固定される。
【００２２】
上枠１８ａの室外側部位２４ａには、既設枠１６の上枠１６ａを室外側から覆い隠す外額縁（額縁部材）３０が固定される。外額縁３０は、アルミニウムや鋼等の金属材料で形成された化粧部材であり、改装用建具１０の室外側の外観品質を高めるものである。外額縁３０は、一端側が上枠１８ａの外側見込み面３２に取付され、他端側が建物１２の外壁面１４ｂに当接される。
【００２３】
下枠１８ｂは、既設枠１６の下枠１６ｂに重ねて配置され、下枠１６ｂや躯体１４に対してねじ止め固定される。下枠１８ｂは当該改装用建具１０の床面から一段下がるように設けられた戸当たり部３３を有する。
【００２４】
図２に示すように、一方の縦枠１８ｃは、室外側に配置される室外側部位３４ａと室内側に配置される室内側部位３４ｂとを一対の断熱材３４ｃで連結した構成である。室内側部位３４ｂには、内側見込み面３５から内方に突出した戸当たり部３６が設けられている。縦枠１８ｃは、室外側部位３４ａ及び室内側部位３４ｂがクランク状の連結金具３８を介して躯体１４に連結固定される。
【００２５】
縦枠１８ｃの室外側部位３４ａには、既設枠１６の縦枠１６ｃを室外側から覆い隠す外額縁（額縁部材）４０が固定される。外額縁４０は、アルミニウムや鋼等の金属材料で形成された化粧部材であり、改装用建具１０の室外側の外観品質を高めるものである。外額縁４０は、一端側が縦枠１８ｃの外側見込み面４２に取付され、他端側が建物１２の外壁面１４ｂに当接される。
【００２６】
他方の縦枠１８ｄは、上記した縦枠１８ｃと左右対称構造であって基本的な構成は同一である。そこで、縦枠１８ｄにおいて、縦枠１８ｃと同一又は同様な構成については同一の参照符号を付して詳細な説明を省略する。縦枠１８ｄについても、外額縁４０の一端側が外側見込み面４２に取付られる。
【００２７】
図２に示すように、各縦枠１８ｃ，１８ｄは、その室内側部位３４ｂに内額縁４４がそれぞれ固定される。内額縁４４は、躯体１４の開口部１４ａと縦枠１８ｃ，１８ｄとの間に亘るように設けられ、連結金具３８やその固定のためのねじを室内側から覆い隠す化粧部材である。内額縁４４は、上枠１８ａにも設けられている。
【００２８】
新設ドア２０は、本実施形態の場合は両開き構造である。新設ドア２０は、新設枠１８の縦枠１８ｃ，１８ｄの室外側部位３４ａにそれぞれ取り付けられたヒンジ４５を介して新設枠１８の内側で開閉可能に支持される。新設ドア２０は、新設枠１８の各枠１８ａ〜１８ｄに設けられた戸当たり部２６、３３、３６の室外側で開閉する。
【００２９】
図３は、一方の縦枠１８ｃに対する外額縁４０の取付構造を示す要部拡大横断面図である。図４は、図３に示す構成よりも外壁面１４ｂの位置が室外側にオフセットした構成での外額縁４０の取付構造を示す要部拡大横断面図である。
【００３０】
先ず、外額縁４０の構成を説明する。図３に示すように、外額縁４０は、第１板部４６と、第２板部４７と、第３板部４８とを有し、対向する辺（第１板部４６、第２板部４７）の長さが異なる断面略コ字状に形成されている。
【００３１】
第１板部４６は、開口部１４ａの内側で見込み方向に延在している。第２板部４７は、開口部１４ａの外側で見込み方向に延在している。第１板部４６と第２板部４７とは互いに平行するように対向配置されている。図３から明らかなように、第１板部４６と第２板部４７の見込み寸法（見込み方向の幅）は異なり、第１板部４６よりも第２板部４７の見込み寸法が大きく設定されている。第１板部４６と第２板部４７の端部には、それぞれ互いに対向する内方に屈曲した屈曲片４６ａ，４７ａが設けられている。第３板部４８は、第１板部４６と第２板部４７との間を繋ぐ部分である。
【００３２】
外額縁４０は、第１板部４６の見込み面が縦枠１８ｃの外側見込み面４２に当接した状態で縦枠１８ｃ（室外側部位３４ａ）に取付される。図３に示す構成例では、第１板部４６は、締結具５０を用いて縦枠１８ｃに締結固定される。締結具５０は、例えばドリルねじである。締結具５０は、例えば縦枠１８ｃの内側見込み面３５に形成された孔部を通して縦枠１８ｃの中空部５２内に挿入され、外側見込み面４２を通して第１板部４６に穿孔固定される。
【００３３】
第２板部４７は、その端部（屈曲片４７ａ）が外壁面１４ｂに当接される。第２板部４７と外壁面１４ｂとの当接部は、例えばシール材５４で接合される（図２参照）。
【００３４】
従って図３に示すように、外額縁４０は、第１板部４６が縦枠１８ｃの外側見込み面４２に取付され、第２板部４７の端部が外壁面１４ｂに当接された状態で、各板部４６〜４８によって既設枠１６の縦枠１６ｃを室外側から覆い隠すように設置される。
【００３５】
図２に示すように、他方の縦枠１８ｄに固定される外額縁４０は、上記した縦枠１８ｃに固定される外額縁４０と左右対称構造であって基本的な構成は同一である。そこで、縦枠１８ｄ側の外額縁４０において、縦枠１８ｃ側の外額縁４０と同一又は同様な構成については図２中に同一の参照符号を付して詳細な説明を省略する。
【００３６】
図１に示すように、上枠１８ａに固定される外額縁３０についても、縦枠１８ｃ，１８ｄに固定される外額縁４０と取付姿勢等が異なる以外は基本的な構成は同一である。そこで、上枠１８ａの外額縁３０についても、縦枠１８ｃ，１８ｄの外額縁４０と同一又は同様な構成については図１中に同一の参照符号を付して詳細な説明を省略する。なお、外額縁３０の第１板部４６を上枠１８ａの外側見込み面３２に取付する締結具５０は、例えば上枠１８ａの中空部５６から外側見込み面３２を通して第１板部４６に穿孔固定される。
【００３７】
この際、締結具５０は、中空部５６から第１板部４６に穿孔されるため、その頭部が中空部５６内に配置される。このため、締結具５０が当該改装用建具１０の室外側に露出せず、締結具５０を隠すための化粧材等を新設枠１８の室外側見付け面に設ける必要がない。なお、内側見込み面３５に形成される締結具５０の挿通孔は、キャップ部材等で蓋をすればよいが、このキャップ部材は新設枠１８の内周側に配置されるため外観上で目立つことがない。
【００３８】
ところで、このような改装用建具１０において、例えば図３に示す新設枠１８の縦枠１８ｃ周辺では、既設枠１６の縦枠１６ｃと外壁面１４ｂとの位置関係に基づき、縦枠１８ｃと外壁面１４ｂとの位置関係も予め決まった寸法となる。例えば、図３に示す構成例の場合、縦枠１８ｃの室外側見付け面５８と外壁面１４ｂとの間には距離Ｌ１が形成されている。距離Ｌ１は、新設枠１８の外壁面１４ｂからの突出長（出幅）である。この突出長は、当該改装用建具１０の施工対象となる建物１２によって異なることが通常である。
【００３９】
例えば、図４に示す構成例の場合、縦枠１８ｃの室外側見付け面５８と外壁面１４ｂとの間には距離Ｌ１より小さい距離Ｌ２が形成されている。なお、上記した従来技術では、例えば図４に示す距離Ｌ２に対応するために、外額縁４０の第２板部４７に相当する部分を施工現場でカットすることで長さ調整を行っており、作業の手間がかかっていた。
【００４０】
この点、当該改装用建具１０の外額縁４０は、第１板部４６を縦枠１８ｃの外側見込み面４２に取付する構成となっている。このため、図４に示すように、図３に示す距離Ｌ１より小さい距離Ｌ２を持った建物１２に改装用建具１０を設置する場合は、第１板部４６の外側見込み面４２に対する取付位置を図３に示す取付位置よりも室外側にスライドさせる。これにより、改装用建具１０は、第２板部４７の端部と外壁面１４ｂとの位置合わせを容易に行うことができ、施工現場で第２板部４７のカット作業等を行うことなく外額縁４０を設置できる。勿論、距離Ｌ１より大きな突出長を持った建物１２に対して外額縁４０を取り付ける場合は、外額縁を室内側にスライドさせて位置調整すればよい。
【００４１】
このように、外額縁４０は、室内外方向（見込み方向）にスライドさせ、所望の位置で締結具５０を用いて縦枠１８ｃの外側見込み面４２に取付すれば異なる建物１２に対応でき、作業効率がよい。勿論、縦枠１８ｄ側の外額縁４０や上枠１８ａ側の外額縁３０の場合も同様、それぞれ外側見込み面４２，３２に沿ってスライドさせて位置調整できる。締結具５０は、ドリルねじではない一般的なビスでもよく、この場合は外側見込み面３２，４２に見込み方向の長孔を設け、この長孔に締結具５０を挿通させる構成とするとよい。
【００４２】
図５は、外額縁４０を左右反転して取り付けた構成例を示す要部拡大横断面図である。
【００４３】
図５に示すように、例えば図３に示す距離Ｌ１より相当に小さい距離Ｌ３を持った建物１２等に対しては、上記のような外額縁３０，４０の見込み方向での取付位置調整のみでは対応できない可能性がある。
【００４４】
そこで、図５に示すように、例えば外額縁４０の場合は、左右反転して第１板部４６と第２板部４７の位置関係を逆転して利用することもできる。すなわち外額縁４０（３０）は、第１板部４６よりも第２板部４７の見込み寸法が大きい構成となっている。そこで、例えば図５に示す構成例では、外額縁４０は、第２板部４７を縦枠１８ｃの外側見込み面４２に取付し、第１板部４６を外壁面１４ｂに当接させる。これにより、外額縁４０は、見込み方向での取付位置調整のみでは対応不可能な距離Ｌ３を持った建物１２に対しても施工現場でのカット作業等を行うことなく設置できる。勿論、図５に示す構成例においても、外額縁４０の見込み方向での取付位置調整を行うことで、より幅広い仕様の建物１２に対応できる。縦枠１８ｄ側の外額縁４０や上枠１８ａ側の外額縁３０の場合もそれぞれ左右反転或いは上下反転させて用いることで、より幅広い仕様の建物１２に対応できる。
【００４５】
図６は、外額縁４０の変形例に係る取付構造を示す要部拡大横断面図である。
【００４６】
上記では、締結具５０を用いて外額縁３０，４０を新設枠１８の各枠１８ａ，１８ｃ，１８ｄに取り付ける構成とした。これに対し、図６に示す構成例は、外額縁３０，４０を磁力で新設枠１８に取り付ける構成である。
【００４７】
図６に示すように、例えば外額縁４０を縦枠１８ｃに取り付ける場合、縦枠１８ｃの中空部５２内で外側見込み面４２の内面４２ａに対して磁石６０を設ける。そして、外額縁４０を鋼等の磁石６０に吸引する材質で形成しておく。これにより、外額縁４０は、磁石６０の磁力によって外側見込み面４２に吸引支持される。磁石６０は、内面４２ａの所望位置に予め固着しておいてもよいし、外額縁４０との間の吸引力によって内面４２ａに固定されてもよい。外額縁４０が例えばアルミニウムのような磁石で吸引できない材質の場合は、外額縁４０の第１板部４６（又は第２板部４７）の内面に磁石６０と吸引可能な磁石６２を設けるとよい。縦枠１８ｄ側の外額縁４０や上枠１８ａ側の外額縁３０の場合にも磁石６０（６２）を用いた取付構造を適用できる。なお、外額縁４０に磁石６２を設ける構成とした場合は、新設枠１８を鋼等の磁石６２に吸引する材質で形成しておくか、又は新設枠１８側に磁石６２と吸引可能な磁石６０を設けた構成としてもよい。
【００４８】
このように磁石６０（６２）を用いて外額縁３０，４０を各枠１８ａ，１８ｃ，１８ｄに取付する構成とすると、外額縁３０，４０の見込み方向での取付位置調整が一層容易であると共に、任意の位置に容易に位置決めできる。磁石６０（６２）は、締結具５０による締結前の外額縁３０，４０の仮保持用として用いてもよい。勿論、外額縁３０，４０を左右反転或いは上下反転させて用いる場合、磁石６２は第２板部４７側に設ければよい。
【００４９】
なお、本発明は、上記した実施形態に限定されるものではなく、本発明の主旨を逸脱しない範囲で自由に変更できることは勿論である。
【００５０】
上記では、外額縁３０，４０は各枠１８ａ，１８ｃ，１８ｄの外側見込み面３２，４２に取付するものとしたが、外額縁３０，４０は例えば各枠１８ａ，１８ｃ，１８ｄの室外側見付け面５８を覆った状態で内側見込み面２５，３５に取付されてもよい。
【００５１】
上記では、外額縁３０，４０は断面略コ字状のものを例示したが、その形状は変更してもよい。例えば第３板部４８は、曲面や屈曲形状を持った面で構成されてもよい。また第３板部４８は省略されてもよく、その場合は第１板部４６と第２板部４７とで外額縁３０，４０が例えば断面略Ｖ字状に形成されてもよい。
【符号の説明】
【００５２】
１０  改装用建具、１２  建物、１４  躯体、１４ａ  開口部、１６  既設枠、１６ａ  上枠、１６ｂ  下枠、１６ｃ，１６ｄ  縦枠、１８  新設枠、２５，３５  内側見込み面、３０，４０  外額縁、３２，４２  外側見込み面、４２ａ  内面、４６  第１板部、４７  第２板部、４８  第３板部、５０  締結具、５２，５６  中空部、５８  室外側見付け面、６０，６２  磁石
【図１】
2018204291.tif 000003
【図２】
2018204291.tif 000004
【図３】
2018204291.tif 000005
【図４】
2018204291.tif 000006
【図５】
2018204291.tif 000007
【図６】
2018204291.tif 000008